(57)【要約】【課題】スパウトを共通化しつつ、種々の内部流路にも対応することができ、製造コストを抑制することができる水栓装置を提供する。【解決手段】本発明の水栓装置１は、吐水口２ａを含むスパウト２と、このスパウトの上流側に接続されて、給湯源１８から供給される湯又は給水源２２から供給される水を通水させる流路と形成する通水部材１０と、スパウトの内部に別体で組み込まれて、通水部材の流路とスパウト内の流路とを連通する内部流路を形成する接続部材１２と、を有し、通水部材の流路は、給湯源及び給水源のそれぞれから供給される湯及び水を接続部材の内部流路に通水させる第１流路２６と、この第１流路から分岐する第２流路２８と、を備え、通水部材の流路には、第１流路又は第２流路のいずれか一方に切り替え可能な切替弁３４が設けられており、接続部材には、切替弁の切替操作が可能な切替操作部３６が設けられている。【選択図】図２
2018138750.tif 000002
【特許請求の範囲】
【請求項１】
湯又は水を吐水する水栓装置であって、
吐水口を含むスパウトと、
このスパウトの上流側に接続されて、給湯源から供給される湯又は給水源から供給される水を通水させる流路を形成する通水部材と、
上記スパウト又は上記通水部材の内部に別体で組み込まれて、上記通水部材の流路と上記スパウト内の流路とを連通する内部流路を形成する接続部材と、を有し、
上記通水部材の流路は、上記給湯源及び上記給水源のそれぞれから供給される湯及び水を上記接続部材の内部流路に通水させる第１流路と、この第１流路から分岐する第２流路と、を備え、
上記通水部材の流路には、上記第１流路又は上記第２流路のいずれか一方に切り替え可能な切替弁が設けられており、
上記接続部材には、上記切替弁の切替操作が可能な切替操作部が設けられていることを特徴とする水栓装置。
【請求項２】
上記接続部材は、樹脂の材料で形成されている請求項１記載の水栓装置。
【請求項３】
上記スパウト及び上記通水部材は、上記接続部材の材料よりも剛性が高い材料でそれぞれ形成されており、
上記接続部材は、上記通水部材が上記スパウトに接続された状態で上記通水部材と上記スパウトとの間の所定位置に保持可能である請求項２記載の水栓装置。
【請求項４】
さらに、互いに接続された上記スパウトと上記通水部材とを固定するねじ部材を有し、このねじ部材は、上記スパウト又は上記通水部材の一方に螺合された状態で、その先端が上記接続部材に当接することなく、上記スパウト又は上記通水部材の他方に当接可能である請求項３記載の水栓装置。
【請求項５】
上記第２流路の下流側は、シャワー吐水部に接続されている請求項１乃至４の何れか１項に記載の水栓装置。
【請求項６】
上記通水部材は、上記第２流路及び上記切替弁が設けられていない他の通水部材に変更可能であり、且つ、上記接続部材は、上記内部流路と異なる内部流路を形成すると共に上記切替操作部が設けられていない他の接続部材に変更可能である請求項１乃至４の何れか１項に記載の水栓装置。
【発明の詳細な説明】
【技術分野】
【０００１】
本発明は、水栓装置に係り、特に、湯又は水を吐水する水栓装置に関する。
【背景技術】
【０００２】
従来から、湯又は水を吐水する水栓装置として、例えば、特許文献１に記載されているように、給水源から供給された水をシャワーヘッドから吐水するシャワー吐水と、給水源から供給された水をスパウトの吐水口から吐水するスパウト吐水とを切り替える切替弁を備えたものが知られている。
このような従来の水栓装置においては、切替弁がスパウト内に一体に設けられているため、スパウト内には切替弁の構造に応じた内部流路が形成されている。
そのため、例えば、シャワー吐水による吐水形態自体を必要としない、すなわち、切替弁が不要なスパウトを製造する場合には、スパウトの鋳物を複数形態用意するか、機械加工によって種々の形態のスパウトを成形して作り分けている。
【先行技術文献】
【特許文献】
【０００３】
【特許文献１】特開平８−２０９８０号公報
【発明の概要】
【発明が解決しようとする課題】
【０００４】
しかしながら、スパウトの鋳物を複数形態用意すると、その分だけ鋳型も必要になるため、製造コストが高くなってしまうという課題がある。
また、機械加工によって種々の形態のスパウトを成形して作り分ける場合においても、スパウトの内部流路が複雑になる程、加工工程も増大し、その分だけ製造コストも高くなってしまうという課題もある。
【０００５】
そこで、本発明は、上述した従来の課題を解決するためになされてものであり、スパウトを共通化しつつ、種々の内部流路にも対応することができ、製造コストを抑制することができる水栓装置を提供することを目的としている。
【課題を解決するための手段】
【０００６】
上述した課題を解決するために、本発明は、湯又は水を吐水する水栓装置であって、吐水口を含むスパウトと、このスパウトの上流側に接続されて、給湯源から供給される湯又は給水源から供給される水を通水させる流路を形成する通水部材と、上記スパウト又は上記通水部材の内部に別体で組み込まれて、上記通水部材の流路と上記スパウト内の流路とを連通する内部流路を形成する接続部材と、を有し、上記通水部材の流路は、上記給湯源及び上記給水源のそれぞれから供給される湯及び水を上記接続部材の内部流路に通水させる第１流路と、この第１流路から分岐する第２流路と、を備え、上記通水部材の流路には、上記第１流路又は上記第２流路のいずれか一方に切り替え可能な切替弁が設けられており、上記接続部材には、上記切替弁の切替操作が可能な切替操作部が設けられていることを特徴としている。
このように構成された本発明においては、接続部材がスパウト又は通水部材の内部に別体で組み込まれているため、スパウト自体の構造を変更することなく、別体の接続部材を変更するだけで、スパウトと通水部材との間の内部流路を容易に変更することができる。
したがって、接続部材とは別体であるスパウトについては共通化することができると共に、様々な内部流路を備えた水栓装置にも対応することができる。
よって、スパウトを成形する型等を最小限に留めることがでるため、水栓装置の製造コストを抑制することができる。
また、接続部材の切替操作部を操作し、切替弁が通水部材の流路を第２流路に切り替えることにより、給湯源から供給される湯又は給水源から供給される水を第２流路に分岐させることができる。
したがって、スパウトを共通化しつつ、第２流路の下流側で、スパウトの吐水口以外による吐水が可能な多様性のある吐水形態を実現することができる。
【０００７】
本発明において、好ましくは、上記接続部材は、樹脂の材料で形成されている。
このように構成された本発明においては、接続部材が樹脂の材料で形成されているため、接続部材の内部流路が複雑になる場合であっても、容易に且つ安価に形成することができる。
また、スパウト内の内部流路を変更したい場合には、所望の内部流路に応じた別形態の樹脂製の接続部材を用意して交換すればよい。
したがって、例えば、スパウトが鋳物製である場合には、鋳型を共通化し、スパウトに対しては、別部材の接続部材に応じた最小限の加工で済ませることができる。
よって、別形態のスパウトの鋳型を別途に用意する必要もないため、水栓装置の製造コストを効果的に抑制することができる。
【０００８】
本発明において、好ましくは、上記スパウト及び上記通水部材は、上記接続部材の材料よりも剛性が高い材料でそれぞれ形成されており、上記接続部材は、上記通水部材が上記スパウトに接続された状態で上記通水部材と上記スパウトとの間の所定位置に保持可能である。
このように構成された本発明においては、通水部材とスパウトとを互いに接続した際に、通水部材及びスパウトから接続部材に対して過度な外力が作用することなく、接続部材を通水部材とスパウトとの間の所定位置に保持することができる。
したがって、接続部材が樹脂の材料で形成されていたとしても、接続部材が上述した過度な外力により破損してしまうことを抑制することができる。
【０００９】
本発明において、好ましくは、さらに、互いに接続された上記スパウトと上記通水部材とを固定するねじ部材を有し、このねじ部材は、上記スパウト又は上記通水部材の一方に螺合された状態で、その先端が上記接続部材に当接することなく、上記スパウト又は上記通水部材の他方に当接可能である。
このように構成された本発明においては、互いに接続されたスパウトと通水部材とをねじ部材が固定した状態では、このねじ部材がスパウト又は通水部材の一方に螺合されると共に、ねじ部材の先端が接続部材に当接することなく、スパウト又は通水部材の他方に当接することができる。
したがって、スパウトと通水部材とをねじ部材で固定する際に、ねじ部材の先端が強度の低い樹脂材料の接続部材に当接して接続部材が破損してしまうことを抑制することができる。
【００１０】
本発明において、好ましくは、上記第２流路の下流側は、シャワー吐水部に接続されている。
このように構成された本発明においては、接続部材の切替操作部を操作し、切替弁が通水部材の流路を第２流路に切り替えることにより、給湯源から供給される湯又は給水源から供給される水をシャワー吐水部から吐水することができる。
したがって、スパウトを共通化しつつ、スパウトの吐水口以外によるシャワー吐水が可能な多様性を有する吐水を実現することができる。
【００１１】
本発明において、好ましくは、上記通水部材は、上記第２流路及び上記切替弁が設けられていない他の通水部材に変更可能であり、且つ、上記接続部材は、上記内部流路と異なる内部流路を形成すると共に上記切替操作部が設けられていない他の接続部材に変更可能である。
このように構成された本発明においては、第２流路及び切替弁が設けられている通水部材を採用している水栓装置には、切替操作部が設けられた接続部材を採用することができる。
一方、第２流路及び切替弁が設けられていない他の通水部材を採用している水栓装置には、内部流路が異なり且つ切替操作部が設けられていない他の接続部材を採用することができる。
したがって、互いに内部流路が異なる接続部材の少なくとも２種類の接続部材により、スパウトを共通化させて、様々な吐水形態に対応することができる。
また、例えば、スパウトが鋳物製である場合には、鋳型を共通化し、スパウトに対しては、別部材の接続部材に応じた最小限の加工で済ませることができる。
したがって、安価な水栓装置を製造することができる。
【発明の効果】
【００１２】
本発明の水栓装置によれば、スパウトを共通化しつつ、種々の内部流路にも対応することができ、製造コストを抑制することができる。
【図面の簡単な説明】
【００１３】
【図１】本発明の第１実施形態による水栓装置の概略斜視図である。
【図２】本発明の第１実施形態による水栓装置の正面断面図である。
【図３】本発明の第１実施形態による水栓装置の分解斜視図である。
【図４】本発明の第１実施形態による水栓装置の側面断面図である。
【図５】図２に示す本発明の第１実施形態による水栓装置において、流路切替装置の部分を拡大した部分拡大断面図である。
【図６】図４に示す本発明の第１実施形態による水栓装置において、接続部材の部分を拡大した部分拡大断面図である。
【図７】本発明の第１実施形態による水栓装置の接続部材を後方斜め上方から見た斜視図である。
【図８】本発明の第１実施形態による水栓装置の正面断面図であり、流路切替弁がシャワー吐水モードに切り替えられた状態を示す。
【図９】本発明の第１実施形態による水栓装置の側面断面図であり、流路切替弁がシャワー吐水モードに切り替えられた状態を示す。
【図１０】本発明の第２実施形態による水栓装置の概略斜視図である。
【図１１】本発明の第２実施形態による水栓装置の正面断面図である。
【図１２】本発明の第２実施形態による水栓装置の側面断面図である。
【図１３】図１２に示す本発明の第２実施形態による水栓装置において、接続部材の部分を拡大した部分拡大断面図である。
【発明を実施するための形態】
【００１４】
つぎに、図１〜図９を参照して、本発明の第１実施形態による水栓装置について説明する。
まず、図１は、本発明の第１実施形態による水栓装置の概略斜視図である。また、図２は、本発明の第１実施形態による水栓装置の正面断面図である。さらに、図３は、本発明の第１実施形態による水栓装置の分解斜視図である。また、図４は、本発明の第１実施形態による水栓装置の側面断面図である。
【００１５】
図１及び図２に示すように、本発明の第１実施形態による水栓装置１は、浴槽Ｂの周辺のデッキ面Ｃ上に設けられたスパウト２、プルアウト式のシャワーヘッド４、湯量調整用のハンドル６、及び、水量調整用のハンドル８をそれぞれ備えている。
また、図１〜図４に示すように、水栓装置１は、デッキ面Ｃよりも下方に設けられた通水部材１０を備えている。
さらに、図１〜図４に示すように、水栓装置１は、通水部材１０とスパウト２との間を接続する接続部材１２（詳細は後述する）を備えている。
また、図１〜図４に示すように、水栓装置１は、通水部材１０の流路１４を切り替える流路切替装置１６（詳細は後述する）を備えている。
【００１６】
つぎに、図２に示すように、通水部材１０の流路１４は、給湯器等の給湯源１８に上流側が接続されている通湯路２０と、水道等の給水源２２に上流側が接続されている通水路２４とを備えている。
また、図２に示すように、通水部材１０の流路１４は、これら通湯路２０及び通水路２４の下流側に形成される第１流路（以下「スパウト吐水用通水路２６」）及び第２流路（以下「シャワー吐水用通水路２８」）をそれぞれ備えている。
さらに、図２に示すように、通湯路２０には、湯量調整用のハンドル６の回転操作によって開閉される開閉弁３０が設けられている。同様に、通水路２４には、水量調整用のハンドル８の回転操作によって開閉される開閉弁３２が設けられている。
【００１７】
ここで、図２に示すように、通湯路２０は、給湯源１８から開閉弁３０まで延びた後、通水部材１０の分岐部１０ａまで延びている。
同様に、図２に示すように、通水路２４は、給水源２２から開閉弁３２まで延びた後、通水部材１０の分岐部１０ａまで延びている。
また、図２に示すように、スパウト吐水用通水路２６は、通水部材１０の分岐部１０ａからスパウト２側へ延びている。
一方、図２に示すように、シャワー吐水用通水路２８は、分岐部１０ａからシャワーヘッド４側へ延びて、その下流側が、シャワーヘッド４のシャワーホース（図示せず）の接続管４ａに接続されている。
【００１８】
つぎに、図５は、図２に示す本発明の第１実施形態による水栓装置において、流路切替装置の部分を拡大した部分拡大断面図である。また、図６は、図４に示す本発明の第１実施形態による水栓装置において、接続部材の部分を拡大した部分拡大断面図である。
図２〜図６に示すように、流路切替装置１６は、通水部材１０の流路１４を切り替える流路切替弁３４と、この流路切替弁３４を操作可能にする切替操作部である操作レバー３６とを備えている。
また、図５に示すように、流路切替弁３４は、上下動することによりスパウト吐水用通水路２６の流入口２６ａ及びシャワー吐水用通水路２８の流入口２８ａをそれぞれ開閉する弁体３４ａを備えている。
さらに、図５に示すように、流路切替弁３４は、上下方向に摺動可能に設けられて且つその下端で弁体３４ａを保持する弁側シャフト３４ｂを備えている。
【００１９】
つぎに、図７は、本発明の第１実施形態による水栓装置の接続部材を後方斜め上方から見た斜視図である。
図５〜図７に示すように、操作レバー３６は、レバー部材３６ａを備えており、このレバー部材３６ａは、接続部材１２の縦穴１２ａを貫いて水平前後方向に延びている。
また、図５及び図６に示すように、操作レバー３６は、このレバー部材３６ａの前端に連結されて上下方向に摺動可能に設けられたレバー側シャフト３６ｂを備えている。
さらに、図５に示すように、流路切替弁３４の弁側シャフト３４ｂの上端と操作レバー３６のレバー側シャフト３６ｂの下端は、締結部材３８によって互いに連結されている。
図２及び図４〜図６に示すように、例えば、操作レバー３６のレバー部材３６ａを手動で最低位置まで下降させた場合には、操作レバー３６のレバー側シャフト３６ｂ及び流路切替弁３４の弁側シャフト３４ｂが下方に摺動するようになっている。
これにより、弁体３４ａがスパウト吐水用通水路２６の流入口２６ａが開放する共に、シャワー吐水用通水路２８の流入口２８ａを閉止するモード（以下「スパウト吐水モード」）に切り替わるようになっている。
よって、通湯路２０から分岐部１０ａに供給された湯、及び、通水路２４から分岐部１０ａに供給された水は、スパウト吐水用通水路２６内に流入するようになっている。
【００２０】
一方、図８は、本発明の第１実施形態による水栓装置の正面断面図であり、流路切替弁がシャワー吐水モードに切り替えられた状態を示す。また、図９は、本発明の第１実施形態による水栓装置の側面断面図であり、流路切替弁がシャワー吐水モードに切り替えられた状態を示す。
図８及び図９に示すように、流路切替装置１６の操作レバー３６のレバー部材３６ａを手動で最高位置まで上昇させた場合には、操作レバー３６のレバー側シャフト３６ｂ及び流路切替弁３４の弁側シャフト３４ｂが上方に摺動するようになっている。
これにより、弁体３４ａがスパウト吐水用通水路２６の流入口２６ａが閉止する共に、シャワー吐水用通水路２８の流入口２８ａを開放するモード（以下「シャワー吐水モード」）に切り替わるようになっている。
【００２１】
つぎに、図２〜図７に示すように、接続部材１２は、樹脂材料で概ね円筒状に形成された部材であり、スパウト２の内部に別体で組み込まれている。
一方、図２〜図６に示すように、スパウト２は、金属製の鋳型成形品であり、通水部材１０は、黄銅等で形成された金属製の部材である。すなわち、これらの金属製のスパウト２や通水部材１０は、樹脂製の接続部材１２よりも剛性が高い材料で形成されている。
また、図５及び図６に示すように、スパウト２内の上流側には、接続部材１２が下側からスパウト２内に挿入可能な挿入穴４０が形成されている。
さらに、図５〜図７に示すように、接続部材１２は、その下側のフランジ１２ｂの上面が段部４２に当接するまで挿入穴４０に挿入されると、スパウト２の下端から所定高さＨ１の位置に位置決めされるようになっている。
そして、図５に示すように、接続部材１２が下側から挿入穴４０に挿入された後に、通水部材１０の下流側端部（上端部）がスパウト２内の上流側端部（下端部）に接続された状態では、接続部材１２は、スパウト２内の通水部材１０の下流側端部（上端部）の上方の所定位置に保持されるようになっている。
なお、本実施形態の水栓装置１においては、接続部材１２については、スパウト２の内部に別体で組み込まれた形態について説明するが、通水部材１０の下流側端部（上端部）の内部等に別体で組み込まれた形態であってもよい。
【００２２】
つぎに、図２及び図６に示すように、本実施形態の水栓装置１は、さらに、互いに接続されたスパウト２と通水部材１０の下流側端部（上端部）とを固定するねじ部材である金属製の止めねじ４４を備えている。
また、図６に示すように、通水部材１０の下流側端部（上端部）の外周面には、凹部１０ｂが形成されている。
そして、図６に示すように、止めねじ４４は、スパウト２の背面側から前方に向かって螺合された後、接続部材１２に当接することなく、止めねじ４４の先端（前端）が通水部材１０の凹部１０ｂ内に当接した状態で嵌合されるようになっている。
これらにより、スパウト２と通水部材１０とを止めねじ４４で固定する際には、強度が低い樹脂材料で形成された接続部材１２に対して、金属製の止めねじ４４の先端（前端）が当接し、接続部材１２が破損してしまうことを抑制することができるようになっている。
なお、本実施形態の水栓装置１においては、通水部材１０の下流側端部（上端部）の外周側がスパウト２の上流側端部（下端部）の内周側に接続された形態について説明している。
しかしながら、変形例として、通水部材１０の下流側端部（上端部）の内周側がスパウト２の上流側端部（下端部）の外周側に接続された形態であってもよい。このような形態の場合においても、止めねじ４４は、接続部材１２に当接することなく、スパウト２と通水部材１０とを固定すればよい。
【００２３】
つぎに、図４〜図７に示すように、スパウト２内において、接続部材１２の下流側には、スパウト２の吐水口２ａまで延びる流路２ｂが形成されている。そして、接続部材１２の内部には、通水部材１０のスパウト吐水用通水路２６とスパウト２内の流路２ｂと互いに連通させる内部流路４６が形成されている。
これにより、図２及び図４〜図７に示すように、上述した流路切替装置１６の流路切替弁３４がスパウト吐水モードに切り替えた場合において、通湯路２０及び通水路２４のそれぞれからスパウト吐水用通水路２６に流入した湯及び水は、接続部材１２の内部流路４６を通過するようになっている。
そして、この接続部材１２の内部流路４６を通過した湯及び水は、スパウト２の流路２ｂ内に流入するようになっている。その後、スパウト２の流路２ｂ内の湯及び水は、湯量調整用のハンドル６及び水量調整用のハンドル８の調整具合に応じて、スパウト２の吐水口２ａから湯、水又は混合湯水として吐水されるようになっている。
【００２４】
つぎに、図１〜図９を参照して、本発明の第１実施形態による水栓装置１の作用について説明する。
まず、上述した本発明の第１実施形態による水栓装置１によれば、接続部材１２がスパウト２の内部に別体で組み込まれている。したがって、スパウト２自体の構造を変更することなく、別体の接続部材１２を変更するだけで、スパウト２と通水部材１０との間の内部流路４６を容易に変更することができる。
したがって、接続部材１２とは別体であるスパウト２については共通化することができると共に、様々な内部流路４６を備えた水栓装置にも対応することができる。
よって、スパウト２を成形する型（鋳型）等を最小限に留めることがでるため、水栓装置１の製造コストを抑制することができる。
また、接続部材１２の縦穴１２ａ貫く操作レバー３６のレバー部材３６ａを操作し、流路切替弁３４が通水部材１０の流路１４をシャワー吐水用通水路２８に切り替えることにより、給湯源１８から供給される湯又は給水源２２から供給される水をシャワー吐水用通水路２８に分岐させることができる。
したがって、スパウト２を共通化しつつ、シャワー吐水用通水路２８の下流側のシャワーヘッド４において、スパウト２の吐水口２ａ以外による吐水が可能な多様性のある吐水形態を実現することができる。
【００２５】
つぎに、本実施形態による水栓装置１によれば、接続部材１２が樹脂の材料で形成されているため、接続部材１２の内部流路４６が複雑になる場合であっても、容易に且つ安価に形成することができる。
また、スパウト２内の内部流路４６を変更したい場合には、所望の内部流路４６に応じた別形態の樹脂製の接続部材１２を用意して交換すればよい。
したがって、例えば、スパウト２が鋳物製である場合には、鋳型を共通化し、スパウト２に対しては、別部材の接続部材１２に応じた最小限の加工で済ませることができる。
よって、スパウト２とは別形態のスパウトの鋳型を別途に用意する必要もないため、水栓装置１の製造コストを効果的に抑制することができる。
【００２６】
また、本実施形態による水栓装置１によれば、通水部材１０とスパウト２とを互いに接続した際に、通水部材１０及びスパウト２から接続部材１２に対して過度な外力が作用することなく、接続部材１２を通水部材１０とスパウト２との間の所定位置に保持することができる。
したがって、接続部材１２が樹脂の材料で形成されていたとしても、接続部材１２が上述した過度な外力により破損してしまうことを抑制することができる。
【００２７】
さらに、本実施形態による水栓装置１によれば、互いに接続されたスパウト２と通水部材１０とを止めねじ４４が固定した状態では、この止めねじ４４がスパウト２の背面側から螺合される。この際、止めねじ４４の先端（前端）が接続部材１２に当接することなく、通水部材１０の凹部１０ｂに当接して嵌合することができる。
したがって、スパウト２と通水部材１０とを止めねじ４４で固定する際に、止めねじ４４の先端（前端）が、強度の低い樹脂材料の接続部材１２に当接して接続部材１２が破損してしまうことを抑制することができる。
【００２８】
つぎに、図１０〜図１３を参照して、本発明の第２実施形態による水栓装置について説明する。
まず、図１０は、本発明の第２実施形態による水栓装置の概略斜視図である。つぎに、図１１は、本発明の第２実施形態による水栓装置の正面断面図である。また、図１２は、本発明の第２実施形態による水栓装置の側面断面図である。さらに、図１３は、図１２に示す本発明の第２実施形態による水栓装置において、接続部材の部分を拡大した部分拡大断面図である。
ここで、図１０〜図１３に示す本発明の第２実施形態による水栓装置１００において、上述した本発明の第１実施形態による水栓装置１と同一部分については同一の符号を付し、これらの説明については省略する。
【００２９】
図１０〜図１３に示すように、本発明の第２実施形態による水栓装置１００では、上述した本発明の第１実施形態による水栓装置１のプルアウト式のシャワーヘッド４がデッキ面Ｃに設けられていない点で異なっている。
よって、図１０〜図１３に示すように、本実施形態の水栓装置１００では、通水部材１１０の分岐部１１０ａは、上述した本発明の第１実施形態による水栓装置１の通水部材１０のシャワー吐水用通水路２８を備えていない。したがって、本実施形態の水栓装置１００は、第１実施形態による水栓装置１の流路切替装置１６についても備えていない構造となっている。
また、図１１〜図１３に示すように、本実施形態の水栓装置１００では、そのスパウト２が第１実施形態のスパウト２と同一の鋳型で形成されており、スパウト２の外観は共通している。
【００３０】
さらに、図１１〜図１３に示すように、本実施形態の水栓装置１００では、接続部材１１２が、スパウト２内の通水部材１１０の下流側端部（上端部）の上方の所定位置に保持されるようになっている点で、第１実施形態の接続部材１２と同様である。
しかしながら、接続部材１１２の内部流路１４６の構造が、第１実施形態の接続部材１２の内部流路４６とは異なっている。
これらにより、本実施形態の水栓装置１００では、通湯路２０及び通水路２４のそれぞれから流出した湯及び水は、常時、スパウト吐水用通水路２６に流入する。そして、接続部材１１２の内部流路１４６を通過して、スパウト２の流路２ｂ内に流入する。その後、スパウト２の流路２ｂ内の湯及び水は、湯量調整用のハンドル６及び水量調整用のハンドル８の調整具合に応じて、スパウト２の吐水口２ａから湯、水又は混合湯水として吐水される。
【００３１】
上述した本発明の第２実施形態による水栓装置１００によれば、第１実施形態の水栓装置１の通水部材１０の代わりに、シャワー吐水用通水路２８や流路切替弁３４が設けられていない他の通水部材１１０に変更可能である。
また、第１実施形態の水栓装置１の接続部材１２の代わりに、内部流路４６と異なる内部流路１４６を形成すると共に操作レバー４６が設けられていない他の接続部材１１２に変更可能である。
したがって、シャワー吐水用通水路２８や流路切替弁３４が設けられている通水部材１０を採用している第１実施形態の水栓装置１には、操作レバー３６が設けられた第１実施形態の水栓装置１の接続部材１２を採用することができる。
一方、シャワー吐水用通水路２８や流路切替弁３４が設けられていない他の通水部材１１０を採用している第２実施形態の水栓装置１００には、内部流路１４６が異なり且つ操作レバー３６が設けられていない第２実施形態の水栓装置１００の接続部材１１２を採用することができる。
したがって、互いに内部流路４６，１４６が異なる接続部材１２，１１２である少なくとも２種類の接続部材１２，１１２により、スパウト２を共通化させて、様々な吐水形態に対応することができる。
また、例えば、スパウト２が鋳物製である場合には、鋳型を共通化し、スパウト２に対しては、別部材の接続部材１２又は１１２に応じた最小限の加工で済ませることができる。
したがって、安価な水栓装置１，１００を製造することができる。
【符号の説明】
【００３２】
１    本発明の第１実施形態による水栓装置
２    スパウト
２ａ  吐水口
２ｂ  スパウト内の流路
４    プルアウト式のシャワーヘッド
４ａ  接続管
６    湯量調整用のハンドル
８    水量調整用のハンドル
１０    通水部材
１０ａ  分岐部
１０ｂ  凹部
１２    接続部材
１２ａ  縦穴
１２ｂ  フランジ
１４    通水部材の流路
１６    流路切替装置
１８    給湯源
２０    通湯路
２２    給水源
２４    通水路
２６    スパウト吐水用通水路（第１流路）
２６ａ  スパウト吐水用通水路の流入口
２８    シャワー吐水用通水路（第２流路）
２８ａ  シャワー吐水用通水路の流入口
３０    開閉弁
３２    開閉弁
３４    流路切替弁（切替弁）
３４ａ  弁体
３４ｂ  弁側シャフト
３６    操作レバー（切替操作部）
３６ａ  レバー部材
３６ｂ  レバー側シャフト
３８    締結部材
４０    挿入穴
４２    段部
４４    止めねじ（ねじ部材）
４６    接続部材の内部流路
１００    本発明の第２実施形態による水栓装置
１１０    通水部材
１１０ａ  分岐部
１１２    接続部材
１４６    接続部材の内部流路
Ｂ    浴槽
Ｃ    デッキ面
【図１】
2018138750.tif 000003
【図２】
2018138750.tif 000004
【図３】
2018138750.tif 000005
【図４】
2018138750.tif 000006
【図５】
2018138750.tif 000007
【図６】
2018138750.tif 000008
【図７】
2018138750.tif 000009
【図８】
2018138750.tif 000010
【図９】
2018138750.tif 000011
【図１０】
2018138750.tif 000012
【図１１】
2018138750.tif 000013
【図１２】
2018138750.tif 000014
【図１３】
2018138750.tif 000015